(57)【要約】      （修正有）【課題】本発明は、時空間的な制約のないスクリーン野球競技装置を提供する。【解決手段】投球をするピッチングマシン部１３０、打撃感知データを出力する打撃感知部１５０、打球軌跡によってシミュレーションしてシミュレーション情報を出力するゲーム運営部１１０、打者の打撃映像を撮影して前記ゲーム運営部に転送する競技撮影部１６０、前記撮影された打撃映像及び前記シミュレーション情報の印加を受けてスクリーン１２０上に再現させるスクリーン駆動部１７０、ユーザが選択した情報及び運営者の制御命令を送受信するゲームサーバー３００、周期的点検データ、競技可能日程、前記打撃映像、及び競技情報データを格納してユーザ育成プログラム及びキャラクター育成プログラムに活用するデータベース４００、及び前記ゲームサーバーから前記制御命令の印加を受けて処理するように統合モニタリング及び制御する装置制御部２００、を備える。【選択図】図１
2016214864.tif 000002
【特許請求の範囲】
【請求項１】
守備側により選択された投球情報の球質によって投球をするピッチングマシン部と、
攻撃側の打者がピッチングペダルを踏めば、前記投球が開始されて、前記打者の打撃を感知して打撃感知データを出力する打撃感知部と、
ユーザの個人等級を登録し、スクリーン野球装置の状態及び正常動作か否かを周期的に点検し、前記打撃感知データの印加を受けて打球軌跡に変換し、前記打球軌跡によってシミュレーションしてシミュレーション情報を出力するゲーム運営部と、
前記打者の打撃映像を撮影して前記ゲーム運営部に転送する競技撮影部と、
前記投球動作、前記シミュレーション情報、及び前記打撃映像をディスプレイするスクリーンと、
前記撮影された打撃映像及び前記シミュレーション情報の印加を受けて前記スクリーン上に再現させるスクリーン駆動部と、
複数個の売り場のうち、競技可能なスクリーン野球競技装置を備えた売り場間の競技をマッチングさせ、前記複数個の売り場のスクリーン野球競技装置状態を点検し、前記ゲーム運営部を通じてユーザが選択した情報及び運営者の制御命令を送受信するゲームサーバーと、
前記ゲーム運営部の周期的な点検データを格納し、各売り場で前記ゲーム運営部を通じて入力される競技可能日程を格納して前記ゲームサーバーに提供し、前記打撃映像及び競技情報データを格納してユーザ育成プログラム及びキャラクター育成プログラムに活用するデータベースと、
前記ゲームサーバーから前記制御命令の印加を受けて前記スクリーン野球競技装置をして処理するように統合モニタリング及び制御する装置制御部と、を備え、
前記打撃感知部は、
球場のベース延長線と両側壁面とが当接する位置及び前記当接する位置の前方または後方位置に配置されて打球の座標データを検出する複数個の前方感知センサーと、
左右打席領域及び捕手領域に配置されて非打撃ストライクボール及びファウルボールを検出する複数個の平面位置センサーと、
ホームプレート領域に配置されて前記打球軌跡の暗影部分を除去し、打撃点での打球運動方向の変更を検出するカメラセンサーと、
を備えることを特徴とする、時空間的な制約のないスクリーン野球競技装置。
【請求項２】
前記スクリーン野球競技装置は、
前記シミュレーション情報及び前記打撃映像データの伝達を受けて前記ゲームサーバー及び前記データベースに転送するオンライン通信部をさらに備えることを特徴とする、請求項１に記載の時空間的な制約のないスクリーン野球競技装置。
【請求項３】
前記ゲーム運営部は、
ユーザの前記個人等級及び会員加入情報が格納された登録カードを発給し、前記登録カードを読み取る読取機を通じて前記個人等級を登録することを特徴とする、請求項１に記載の時空間的な制約のないスクリーン野球競技装置。
【請求項４】
前記ゲーム運営部は、
携帯用端末機のアプリケーションを用いてユーザの前記個人等級及び会員加入情報を入力し、前記携帯用端末機の近距離通信機能を通じて前記アプリケーションと連動して前記個人等級を登録することを特徴とする、請求項１に記載の時空間的な制約のないスクリーン野球競技装置。
【請求項５】
前記投球球質は、
攻撃側に前記投球情報が流出されないようにキーパッドまたはジョイスティックを通じて選択されることを特徴とする、請求項１に記載の時空間的な制約のないスクリーン野球競技装置。
【請求項６】
前記ピッチングマシン部は、
前記ゲーム運営部上で守備側が選択した球質と攻撃側の打者の前記個人等級及び身長に対する打者情報を含むピッチングデータの入力を受けるピッチング入力部と、
前記ピッチングデータの伝達を受けて予め設定されたプリセットを確認した球質値または前記ピッチング入力部を通じて直接入力される前記球質の球質値を生成し、前記球質値と前記打者情報でストライクゾーンに合う球質調整用データ及び姿勢調整用データを計算して出力するピッチングデータ計算部と、
前記球質調整用データの印加を受けて球質駆動部を制御してピッチングされる球質を調整する球質調整部と、
前記姿勢調整用データの印加を受けて姿勢駆動部を制御して前記スクリーン上の投手の姿勢を調整する姿勢調整部と、
ボール供給部からボールの供給を受けて前記調整される球質及び投手の姿勢によって前記投球をするピッチングマシンと、
を備えることを特徴とする、請求項１に記載の時空間的な制約のないスクリーン野球競技装置。
【請求項７】
前記ピッチングマシンは、
後方から前方に回転してボールを押し出す複数個のホイールを備え、前記複数個のホイールの回転速度によって前記投球の球質が決定されることを特徴とする、請求項６に記載の時空間的な制約のないスクリーン野球競技装置。
【請求項８】
前記ピッチングマシン部は、
売り場毎に前記ピッチングマシンの回転数及び打席との距離が相異することを考慮して前記投球の球質のうち、特定の球質に対する調整値を予め格納する内部記憶装置をさらに備えることを特徴とする、請求項６に記載の時空間的な制約のないスクリーン野球競技装置。
【請求項９】
前記ゲーム運営部は、
守備側により打者の特性、走者状況、及び点数状況のうち、いずれか１つ以上によって守備位置が受動的に調節され、
攻撃側により走者状況及び点数状況のうち、いずれか１つ以上によって走者の動きが受動的に調節されることを特徴とする、請求項１に記載の時空間的な制約のないスクリーン野球競技装置。
【請求項１０】
前記スクリーン駆動部は、
前記スクリーンに選手の動きを見せる野球競技中継画面映像をディスプレイするプロジェクタと、
前記スクリーンに見られない周辺映像を壁面にディスプレイする補助プロジェクタと、
を備えることを特徴とする、請求項１に記載の時空間的な制約のないスクリーン野球競技装置。
【請求項１１】
前記スクリーンは、
後面に設置されて後面光を遮断してディスプレイされる前記投球動作及び前記シミュレーション映像の鮮明度を高める暗幕と、
前面に設置されてディスプレイされる前記投球動作及び前記シミュレーション映像の明度を高める反射コーティングと、
を備えることを特徴とする、請求項１に記載の時空間的な制約のないスクリーン野球競技装置。
【請求項１２】
前記競技撮影部は、
打者の前方の左側または右側の壁面の上部に設置されて前記打者の打撃映像を撮影して内蔵されたストリーム送信部を通じて前記撮影される前記打者の打撃映像を転送するカメラを備え、
前記ゲーム運営部は内蔵されたストリーム受信部を通じて前記打撃映像の転送を受けて前記スクリーン駆動部に伝達して前記スクリーン上に再現させることを特徴とする、請求項１に記載の時空間的な制約のないスクリーン野球競技装置。
【請求項１３】
前記ゲーム運営部は、
前記打撃映像を臨時保管した後、必要によって前記ストリーム受信部を経由して前記データベースに転送して前記ユーザ育成プログラム及び前記キャラクター育成プログラムに活用することを特徴とする、請求項１２に記載の時空間的な制約のないスクリーン野球競技装置。
【請求項１４】
前記オンライン通信部は、
有線通信、近距離通信網、及びインターネット網のうち、いずれか１つを用いることを特徴とする、請求項２に記載の時空間的な制約のないスクリーン野球競技装置。
【発明の詳細な説明】
【技術分野】
【０００１】
本発明はスクリーン野球競技装置に関し、特にユーザの水準差異や時空間的な制約無しで野球競技を多様に楽しむことができ、仮想の野球場空間で投球または打球によってボールが所定の軌跡に沿って現実的に移動可能であり、ゲームサーバーがスクリーン野球装置の周期的な状態点検データ及び競技実況シミュレーションデータの受信を受けて運営者が意図する動作をリアルタイムに処理するように制御し、競技情報をユーザ育成プログラムに活用してユーザの競技力量を向上させることができる時空間的な制約のないスクリーン野球競技装置に関する。
【背景技術】
【０００２】
一般に、野球は投手が投げたボールを捕手が受けて、打者がボールを打撃して得点する競技である。
【０００３】
打者が打撃練習をする時は一人がボールを投げれば、打者がボールを打撃するか、または野球ボールを周期的に発射するようになった野球打撃練習装置を用いて飛んでくるボールを打撃練習した。
【０００４】
または、ユーザが初心者、女性、または児童の場合、一定高さの支持台の上にボールが固定されているティーボールを用いてバットで打撃することもある。
【０００５】
このように、野球は所定の人員と比較的広い空間を必要とするため、一般人が野球競技を自由に楽しむことには人的、時空間的な制約が存在する。
【０００６】
これを解決するために、従来にはピッチングマシンを備えるバッティングセンターが提供されることもあるが、このようなバッティングセンターの場合、球質の選択や多様な環境への対応が事実上不可能な限界があった。
【０００７】
また、打撃一辺倒のゲームが進行されるため、ストライクやアウトまたは点数の獲得のような実在感とおもしろさが格段に低下する問題点があった。
【０００８】
一方、最近にはボールを用いる室内スポーツの１つに、室内ゴルフ練習場は勿論、空間活用性を極大化したスクリーンゴルフ練習場が増加している趨勢である。
【０００９】
一般的なスクリーンゴルフシステムの場合、所定の映写装置がスクリーンの前面側で映像を投射して再現するものであって、打撃者は所定の位置にゴルフボールを固定して置いて、スクリーンに投影された仮想の空間に打撃を進行することによって、ゲームが進行される。
【００１０】
ところで、ゴルフの場合、打撃者が存在するだけでよく、打撃されるボールが停止してあるため、競技の進行や映像を通じてのイメージの具現に大きい問題がないが、野球の場合、仮想の野球場空間を形成し、かつ基本的に投手と打者が存在しなければならず、投球または打球によってボールが所定の軌跡に沿って現実的に移動されなければならないので、スクリーンゴルフシステムを野球に適用することには限界がある。
【００１１】
また、野球ゲームの場合、ストライクやボールの判定の要素が必要であり、多様な攻守の作戦のオプションや得点の計算方法が動的であるので、根本的なゲームの要素が相異するので、このようなスクリーンゴルフシステムの適用が事実上不可能な限界があった。
【先行技術文献】
【特許文献】
【００１２】
【特許文献１】ＫＲ１０−２０１０−０１３０２７９ Ａ１
【特許文献２】ＪＰ２００５−２０４９４７ Ａ１
【発明の概要】
【発明が解決しようとする課題】
【００１３】
本発明の目的は一般人が容易く投球の球質や多様な競技環境を選択することができ、打撃一辺倒のゲームから外れてストライクやボールの判定または攻守作戦のオプションや得点の計算方法を多様に調整することができ、地理的に互いに離れている地域間の選手情報及び競技シミュレーションなどをオンラインでリアルタイムに共有できる時空間的な制約のないスクリーン野球競技装置を提供することにある。
【００１４】
また、ゲームサーバーが複数個の売り場システムに設置されたスクリーン野球装置の周期的な状態点検データ及び競技実況シミュレーションデータの受信を受けて必要な命令またはデータを転送して運営者が意図する動作をリアルタイムに処理するようにし、競技中、打撃映像を格納してユーザ育成プログラム及びキャラクター育成プログラムに活用することができる時空間的な制約のないスクリーン野球競技装置を提供するものである
【００１５】
本発明が解決しようとする課題は、以上で言及した課題に制限されず、言及されていない更に他の課題は以下の記載から通常の技術者に明確に理解されるべきである。
【課題を解決するための手段】
【００１６】
前記の目的を達成するための本発明の時空間的な制約のないスクリーン野球競技装置は、守備側により選択された投球情報の球質によって投球を行うピッチングマシン部；攻撃側の打者がピッチングペダルを踏めば、前記投球が開始されて、前記打者の打撃を感知して打撃感知データを出力する打撃感知部；ユーザの個人等級を登録し、スクリーン野球装置の状態及び正常動作か否かを周期的に点検し、前記打撃感知データの印加を受けて打球軌跡に変換し、前記打球軌跡によってシミュレーションしてシミュレーション情報を出力するゲーム運営部；前記打者の打撃映像を撮影して前記ゲーム運営部に転送する競技撮影部；前記投球動作、前記シミュレーション情報、及び前記打撃映像をディスプレイするスクリーン；前記撮影された打撃映像及び前記シミュレーション情報の印加を受けて前記スクリーン上に再現させるスクリーン駆動部；複数個の売り場のうち、競技可能なスクリーン野球競技装置を備えた売り場の間の競技をマッチングさせ、前記複数個の売り場のスクリーン野球競技装置状態を点検し、前記ゲーム運営部を通じてユーザが選択した情報及び運営者の制御命令を送受信するゲームサーバー；前記ゲーム運営部の周期的な点検データを格納し、各売り場で前記ゲーム運営部を通じて入力される競技可能日程を格納して前記ゲームサーバーに提供し、前記打撃映像及び競技情報データを格納してユーザ育成プログラム及びキャラクター育成プログラムに活用するデータベース；及び前記ゲームサーバーから前記制御命令の印加を受けて前記スクリーン野球競技装置をして処理するように統合モニタリング及び制御する装置制御部；を備えることを特徴とする。
【００１７】
その他の実施形態の具体的な事項は詳細な説明及び添付図面に含まれている。
【００１８】
本発明の利点及び／又は特徴、そしてそれらを達成する方法は、添付する図面と共に詳細に後述されている実施形態を参照すれば明らかになる。しかしながら、本発明は以下に開示される実施形態に限定されるものでなく、互いに異なる多様な形態に具現され、単に本実施形態は本発明の開示が完全になるようにし、本発明が属する技術分野で通常の知識を有する者に発明の範疇を完全に知らせるために提供されるものである
【発明の効果】
【００１９】
本発明による場合、一般人が容易く投球の球質や多様な競技環境を選択することができるので、ユーザの水準差の制約無しで野球競技を自由に楽しむことができる。
【００２０】
また、打撃一辺倒のゲームから外れてストライクやボールの判定または攻守作戦のオプションや得点の計算方法を多様に調整することができ、仮想の野球場空間で投球または打球によってボールが所定の軌跡に沿って現実的に移動可能であるので、実在感及び興味を向上させることができる。
【００２１】
また、地理的に互いに離れている地域間の選手情報及び競技シミュレーションなどをオンラインで互いにリアルタイム共有するようにし、利用者が互いに異なる地域にいても競技が可能であるので、時空間的な制約無しで野球競技を多様に楽しむことができ、競技中、打撃映像のユーザ育成プログラム活用を通じてユーザの打撃姿勢補完により競技力量を向上させることができる。
【００２２】
また、ゲームサーバーが遠隔地で複数個の売り場システムに設置されたスクリーン野球装置をモニタリングして、状態点検、機能調整、及びメインテナンスなどの管理が可能である
【図面の簡単な説明】
【００２３】
【図１】本発明に係る時空間的な制約のないスクリーン野球競技装置に対する概略的な構成図である
【図２】図１に図示されたスクリーン野球競技装置内のピッチングマシン部１３０の動作を説明するための構成図である
【図３】図１に図示されたスクリーン野球競技装置内のボール供給部１４０に対する写真である
【図４】図２に図示されたスクリーン野球競技装置内のピッチングマシン１３８に対する写真である
【図５】図１に図示されたスクリーン野球競技装置内の打撃感知部１５０の動作を説明するための構成図である
【図６】図１に図示されたスクリーン野球競技装置を用いてユーザが実際打撃する姿に対する写真である
【図７】図５に図示されたスクリーン野球競技装置内の複数個の前方感知センサーが打球を感知することに対する写真である
【図８】図１に図示されたスクリーン野球競技装置内のスクリーン駆動部１７０の動作を説明するための構成図である
【図９】図１に図示されたスクリーン野球競技装置内のスクリーン１２０にディスプレイされる映像に対する写真である
【図１０】図１に図示されたスクリーン野球競技装置内の競技撮影部１６０の動作を説明するための構成図である
【発明を実施するための形態】
【００２４】
以下、添付した図面を参考しつつ本発明の好ましい実施形態に対して詳細に説明すると、次の通りである。
【００２５】
本明細書及び請求範囲に使われた用語や単語は通常的または辞典的な意味に限定されて解析されてはならず、発明者は自分の発明を最も最善の方法で説明するために用語の概念を適切に定義することができるという原則に即して本発明の技術的思想に符合する意味と概念として解析されなければならない。
【００２６】
明細書の全体で、ある部分がある構成要素を“含む”または“備える”とする時、これは特別に反対の記載がない限り、他の構成要素を除外するものでなく、他の構成要素をさらに包含または具備できたということを意味する。
【００２７】
また、明細書に記載された“部”、“機”、“モジュール”、“装置”などの用語は少なくとも１つの機能や動作を処理する単位を意味し、これはハードウェアやソフトウェアまたはハードウェア及びソフトウェアの結合により具現できる。
【００２８】
以下に説明される携帯用端末機はインターネット通信などのコンピュータサポート機能が可能なスマートフォン（smart phone）、ＰＤＡ（Personal Digital Assistants）、ＰＭＰ（Portable Multimedia Player）、スマートパッド（smart pad）などを意味する。
【００２９】
図１は本発明に係る時空間的な制約のないスクリーン野球競技装置に対する概略的な構成図であって、複数個のスクリーン野球装置１００−１〜１００−Ｎ、装置制御部２００、ゲームサーバー３００、及びデータベース４００を備える。
【００３０】
複数個のスクリーン野球装置１００−１〜１００−Ｎの各々は、ゲーム運営部１１０、スクリーン１２０、ピッチングマシン部１３０、ボール供給部１４０、打撃感知部１５０、競技撮影部１６０、スクリーン駆動部１７０、及びオンライン通信部１８０を備える。
【００３１】
図１を参照して本発明の時空間的な制約のないスクリーン野球競技装置の各構成要素の機能を説明すると、次の通りである
【００３２】
ゲーム運営部１１０は、ユーザの個人等級を登録し、打撃感知データの印加を受けて変換した打球の軌跡に沿ってシミュレーションし、スクリーン駆動部１７０を通じてスクリーン１２０に競技映像をディスプレイさせ、スクリーン１２０と打席との間の距離によってピッチャーの形状を多様に調節する。
【００３３】
ピッチングマシン部１３０は、ボール供給部１４０からボールの供給を受けて、ユーザのうち、守備側により投球球質が選択された投球情報によって自動または手動で投球する。
【００３４】
打撃感知部１５０は、複数個の前方感知センサー、複数個の平面位置センサー、及びカメラセンサーを備え、打球の座標データ、非打撃ストライクボール、及びファウルボールを検出し、打球軌跡の暗影部分を除去し、打撃点での打球運動方向の変更を検出する。
【００３５】
競技撮影部１６０は、ユーザの打撃映像を撮影してゲーム運営部１１０に転送する。
【００３６】
スクリーン駆動部１７０は、競技撮影部１６０から撮影された打撃映像及びゲーム運営部１１０のシミュレーション映像の伝達を受けてスクリーン１２０上に再現させる。
【００３７】
オンライン通信部１８０は、スクリーン１２０にディスプレイされるシミュレーション情報及び打撃映像データをゲームサーバー３００及びデータベース４００に転送する。
【００３８】
ゲームサーバー３００は、地理的に離れている地域の競技可能なゲーム装置を備えた売り場システム同士間の競技をマッチングさせて、ディスプレイされるシミュレーション情報、及び打撃映像データをリアルタイム伝達してオンラインで競技を進行させ、売り場システムの状態を点検し、ユーザが選択した情報及び運営者の制御命令を送受信する。
【００３９】
装置制御部２００は、複数個の売り場の各々に備えられてゲームサーバー３００から制御命令の印加を受けて複数個のスクリーン野球装置１００−１〜１００−Ｎをして処理するように統合モニタリング及び制御し、複数個のスクリーン野球装置１００−１〜１００−Ｎから装置の状態点検データを受信する。
【００４０】
データベース４００は、オンライン通信部１８０から打撃映像及び競技情報データの伝達を受けて格納してユーザ育成プログラム及びキャラクター育成プログラムに活用する。
【００４１】
図１を参照して本発明に係る時空間的な制約のないスクリーン野球競技装置の全般的な動作を説明すると、次の通りである。
【００４２】
まず、ゲーム運営部１１０はユーザの個人等級などを登録して競技を開設する。
【００４３】
打者が打席に入ると、ゲーム運営部１１０は登録されたユーザ情報から該当打者の個人等級などを確認する。
【００４４】
ユーザのうち、守備側の投球球質を選択するなどの守備基本動作を取れば、投球球質などに対する情報がピッチングマシン部１３０に送られる。
【００４５】
打者が打席に置かれたピッチングペダルを踏めば、スクリーン１２０に投球動作がディスプレイされ、選択された球質によって投球が始まる。
【００４６】
打者が打撃をすれば、打撃感知部１５０で打撃情報がゲーム運営部１１０に伝達され、該当打撃情報は弓の軌跡として解析され、該当解析に基づいてゲームシミュレーションがなされて、競技映像がスクリーン１２０に見られる。
【００４７】
この際、打者の前方の左側または右側壁面の上部に設置される競技撮影部１６０がユーザの打撃映像を撮影してゲーム運営部１１０に転送する。
【００４８】
次の打者に対しても同一な過程がなされるようになり、競技は野球競技ルールに従って続けて進行される。
【００４９】
このような競技の進行はオンライン通信部１８０を通じてゲームサーバー３００及びデータベース４００に転送される。
【００５０】
また、データベース４００はゲーム運営部１１０から打撃映像及び競技情報データの伝達を受けて格納してユーザ育成プログラム及びキャラクター育成プログラムに活用する。
【００５１】
一方、競技相手側が地理的に離れている地域の他のユーザの場合、ゲームサーバー３００が前記ディスプレイされるシミュレーション情報及び前記打撃映像データを相手側が位置した売り場にリアルタイム伝達してオンラインで競技を進行することができる。
【００５２】
例えば、複数のユーザが売り場（Ｃ）で一チームを組んで他のチームと対陣競技をしてみたいが、希望する相手チームが他の売り場（Ｄ）に位置する場合、ゲームサーバー３００は売り場（Ｃ）でディスプレイされるシミュレーション情報及び打撃映像データを売り場（Ｄ）のゲーム運営部のモニターまたはスクリーンにディスプレイして両チームがまるで一場所で競技するような効果を出すことができる。
【００５３】
図１を参照して本発明のスクリーン野球競技装置内のゲーム運営部、ゲームサーバー、及びデータベースの動作を説明すると、次の通りである。
【００５４】
ゲーム運営ステップの動作
ゲーム運営部１１０は個人用コンピュータ（ＰＣ）の形態であって、打席と隣接した所に位置し、キーボード、マウス、モニター、タッチスクリーンなどを備える。
【００５５】
ゲーム運営部１１０は、まず打撃をするユーザをチームを分けて登録し、それぞれの等級を適用してゲームに反映されるようにユーザ登録を行う。
【００５６】
この際、ユーザ登録を簡素化するためにユーザの個人等級及び会員加入情報が格納された別途の登録カード類（バーコード、ＲＦなど）を発給し、該当読取機を入力装置に取り付けることができる。
【００５７】
また、最近、普遍化されている携帯用端末機の使用に合わせて携帯用端末機のアプリケーションを用いてユーザの前記個人等級及び会員加入情報を入力し、携帯用端末機の近距離通信機能を通じて前記アプリケーションを作動させて前記個人等級を登録することもできる。
【００５８】
ゲーム運営部１１０は、ピッチングマシン部１３０でピッチングされるボールの球質を守備側が選択することができるようにする。
【００５９】
この際、攻撃側への投球情報の流出を防止するために、別途のキーパッド形態の入力装置を備えることもできる。
【００６０】
前記にキーパッドとして表現されたものは少数のボタンからなるボタンセットも含むことは勿論、ジョイスティック類などのゲーム操作装置も含まれる。
【００６１】
一般に、野球ゲームは打者特性または走者状況及び点数状況によって守備位置をダイナミックに変更するようになるが、ゲーム運営部１１０はこれを基本入力装置または別途のキーパッドなどを通じて選択できるようにする。
【００６２】
攻撃側は走者状況及び点数状況によって走者の動き（ランアンドヒット、ヒットアンドランなど）を異にするようになるが、これもまたユーザのゲーム参加度を高める重要要因の１つであるので、ゲーム運営部１１０は基本入力装置及び別途の入力装置に設定できるようにする。
【００６３】
打撃感知部１５０で検出された打撃データはボールの軌跡に変更され、該当ボールの軌跡とゲーム状況によって自動で守備過程がなされるように競技をシミュレーションする。
【００６４】
野球は記録の競技というほど競技要素の１つ１つが意味を有するので、現在の競技資料は後日また競技を行う時の重要な基本情報となる。
【００６５】
したがって、これをデータベース４００に格納できる処理過程を有する。
【００６６】
また、ゲーム運営部１１０はスクリーン野球装置の状態及び正常動作か否かを周期的に点検してインターネット網を介してデータベース４００に格納することによって、運営者がゲームサーバー３００を通じて随時モニタリングできるようにする。
【００６７】
また、その通信方法も有線のみに限定されたものでなく、スマートフォンなどで近距離通信網やインターネット網を用いたアプリの処理も含む。
【００６８】
ゲームサーバー及びデータベースの動作
ゲームサーバー３００は複数個の売り場のゲーム装置のうち、点検が完了したゲーム装置のうち、競技可能なゲーム装置間の競技をマッチングさせ、複数個のゲーム装置に運営者が意図する動作に対する命令またはデータを遠隔で転送してリアルタイムに処理するようにする。
【００６９】
データベース４００は、ゲーム運営部１１０がスクリーン野球装置の状態及び正常動作か否かを周期的に点検したデータを格納して、運営者がゲームサーバー３００を通じて随時モニタリングできるようにする。
【００７０】
また、各売り場でユーザがゲーム運営部１１０を通じて入力した個人またはチーム単位の競技可能日程を格納してゲームサーバー３００が競技をマッチングすることに参照するデータを提供する。
【００７１】
ゲームサーバー３００は、個人及び所属チームの競技記録（勝率、打率など）を確認することができるようにする。
【００７２】
また、一場所で落ち合った状態での競技進行だけでなく、地理的に互いに離れている地域間の選手情報及び競技シミュレーションなどをオンラインで互いにリアルタイム共有するようにして、利用者が互いに異なる地域にいても競技が可能であるようにする。
【００７３】
また、ゲームサーバー３００は個人またはチーム単位で自分の競技可能日程を入力するか、または他の人の競技可能日程を確認することができるようにして、相手があって野球場を訪ねて競技する時だけでなく、相手がない場合にも容易く相手を探して競技をすることができるように競技マッチングを制御する。
【００７４】
これは、特に一空間で互いに競技する時だけでなく、互いに異なる地域でオンライン競技をする時に一層便利である。
【００７５】
一方、ユーザの身体的有・不利により常に優劣が判断されれば、相手を忌避するようになるので、ゲームサーバー３００はこれを克服するために別途のユーザ育成プログラム及びキャラクター育成プログラムを構築して自分の競技シミュレーションに反映できるようにする。
【００７６】
前記の機能は特定の入出装置を通じてユーザに提供されるものでない、基本的にインターネットが連結されるだけで、ウェブ、アプリケーションなど、多様な形態に提供できる。
【００７７】
図２は図１に図示されたスクリーン野球競技装置内のピッチングマシン部１３０の動作を説明するための構成図であって、ゲーム運営部１１０、ピッチングマシン部１３０、及び装置制御部２００を備え、ピッチングマシン部１３０は、ピッチング入力部１３１、ピッチングデータ計算部１３２、球質調整部１３３、球質駆動部１３４、姿勢調整部１３５、姿勢駆動部１３６、ピッチング通信部１３７、ピッチングマシン１３８、及び内部記憶装置１３９を備える。
【００７８】
図３は、図１に図示されたスクリーン野球競技装置内のボール供給部１４０に対する写真である。
【００７９】
図４は、図２に図示されたスクリーン野球競技装置内のピッチングマシン１３８に対する写真である。
【００８０】
図１から図４を参照して本発明のスクリーン野球競技装置内のピッチングマシン部の動作を説明すると、次の通りである。
【００８１】
ピッチングマシン部の動作
ゲーム運営部１１０でユーザの個人等級及び投球情報をピッチングマシン部１３０に転送すれば、ピッチングマシン部１３０は図１に図示されたボール供給部１４０からボールの供給を受けて選択された球質によって球質及び投手の姿勢を調整して投球を始める。
【００８２】
即ち、図２Ａから見るように、ゲーム運営部１１０上で守備側が選択したピッチングされるボールの球質とゲーム運営部１１０に登録された攻撃側打者の個人等級、打者の身長などに対するピッチングデータを直列通信、ＬＡＮ、インターネットなどを通じてピッチング入力部１３１に転送する。
【００８３】
ピッチングデータ計算部１３２は、ゲーム運営部１１０からピッチングデータの印加を受けて既に設定されたプリセット（preset）を確認した球質値またはピッチング入力部１３１から入力される球質値を生成し、前記球質値と打者情報でストライクゾーンに合う球質調整用データ及び姿勢調整用データを計算して出力する。
【００８４】
球質調整部１３３は、ピッチングデータ計算部１３２から球質調整用データの印加を受けて球質駆動部１３４を制御してピッチングされる球質を調整してピッチングマシン１３８をして入力されたピッチングデータに合うように投球を行うようにする。
【００８５】
姿勢調整部１３５は、ピッチングデータ計算部１３２から姿勢調整用データの印加を受けて姿勢駆動部１３６を制御してスクリーン上の投手の姿勢を調整し、ピッチングマシン１３８を調整して入力されたピッチングデータに合うように投球を行うようにする。
【００８６】
ピッチング入力部１３１、球質調整部１３３、及び姿勢調整部１３５には、キーパッド、調節ボリュームなどの別途の入力装置が備えられて、ゲーム運営部１１０で別途のピッチングデータ入力信号がないか、またはピッチングマシン１３８が受動調整に設定された場合、ピッチングマシン１３８は特定パターンのボールを一律的に投球することもできる。
【００８７】
ピッチングマシン１３８の受動調整は、装置制御部２００がピッチング通信部１３７を通じて多数のピッチングマシン１３８を統合モニタリング及び制御することができる。
【００８８】
ピッチングマシン１３８は、図４に図示したように、２つのホイール（wheel）形態であって、２つのホイール（Ａ、Ｂ）は後方から前方に回転してボールを押し出すようになり、２つのホイール（Ａ、Ｂ）のそれぞれの回転速度によって直球ボール、フォークボール、スライダーボールなどのボールの球質が決定される。
【００８９】
この際、図２Ｂから見るように、ピッチングマシン１３８のホイール個数を３個以上にしてホイールのそれぞれの回転速度によってカーブボールやチェンジアップなどの多様なボールの球質が決定できる。
【００９０】
即ち、３個のホイール（Ａ、Ｂ、Ｃ）の回転速度が同一であれば、直球ボール形態のボールを投球するようになるが、この際、ホイール（Ａ、Ｂ、Ｃ）の回転数に比例してボールの速度を決定するようになる。
【００９１】
ホイール（Ａ、Ｂ）の回転速度が同一な状態でホイール（Ｃ）の回転を調整するようになれば、ボールの落差が大きくなったり小さくなったりするフォークボール形態のボールを投球するようになる。
【００９２】
同様に、ホイール（Ａ、Ｂ）の回転速度を各々ホイール（Ｃ）の回転速度と同じくした状態でホイール（Ａ）とホイール（Ｂ）の回転数を各々調整すれば、左、右に曲がるカーブボール形態のボールを投球するようになる。
【００９３】
実際の売り場運営ではピッチングマシン１３８と打席との間の距離によってホイール（Ａ、Ｂ、Ｃ）の回転数が各々相異して球質によってこれをいちいち毎度調整することには困難性が多いので、ピッチングマシン部１３０はＥＰＲＯＭ、ＲＡＭなどの内部記憶装置１３９に特定の球質に対する調整値を予め格納し、これを使用することが好ましい。
【００９４】
図５は図１に図示されたスクリーン野球競技装置内の打撃感知部１５０の動作を説明するための構成図であって、前方感知センサー１５１、平面位置センサー１５２、及びカメラセンサー１５３を備える。
【００９５】
図６は、図１に図示されたスクリーン野球競技装置を用いてユーザが実際打撃する姿に対する写真である
【００９６】
図７は、図５に図示されたスクリーン野球競技装置内の複数個の前方感知センサーが打球を感知することに対する写真である
【００９７】
図１から図７を参照して本発明のスクリーン野球競技装置内の打撃感知部の動作を説明すると、次の通りである
【００９８】
打撃感知部の動作
図５Ａから見るように、前方感知センサー１５１は打球の水平と垂直の座標データ検出が可能であるので、打球の軌道を読み取ることができるが、設置位置によって打球軌道（Ｂ１）のみ感知可能であり、打球軌道（Ｂ２、Ｂ３、Ｂ４）は感知できない暗影地域が発生するようになる。
【００９９】
したがって、これはボールを打ち損じたストライクボールと、前方感知センサー１５１を通過できなかった打撃（ファウルなど）の間の区分を不可能にし、これは野球ゲームの現実性を低下させる要素として作用する。
【０１００】
これを克服するために、本発明は図５Ｂから見るように、平面でボールの動きを感知できるように別途の平面位置センサー１５２（例えば、超音波センサーなど）を左右打席領域（Ａ１、Ａ２）及び捕手領域（Ａ３）に配置して打球軌道（Ｂ２、Ｂ３、Ｂ４）なども感知する。
【０１０１】
図５Ｃから見るように、通常、カメラセンサー１５３は打撃点と若干離隔した位置（Ａ）に置かれるようになるが、これもまた感知できない打球軌道（Ｂ２、Ｂ３、Ｂ４）の暗影部分をもたらすようになる。
【０１０２】
これを克服するために、本発明は図５Ｃから見るように、カメラセンサー１５３の位置を打撃点が観察できるホームプレート位置（Ｂ）に設定して打球軌道（Ｂ２、Ｂ３、Ｂ４）などの暗影部分を除去し、打撃点でのボールの運動方向の変更などを感知して後方ファウルチップなどが区分できるようにする。
【０１０３】
一般に、カメラセンサー１５３の使用はその感知能力に比例して費用が幾何級数的に上昇するので、本発明は打球の軌跡など、精密な判断は前方感知センサー１５１が担当し、打球軌道の暗影部分の除去はカメラセンサー１５３が担当するようにすることで、高価のカメラセンサー１５３の使用を最小限に維持するようになる。
【０１０４】
図５Ｄから見るように、前方感知センサー１５１は基本的に球場のベース延長線と両側壁面とが当接するように位置（Ｓ１）に設置することが基本であるが、本システムの設置環境によって位置（Ｓ１）の後方位置（Ｓ２）または位置（Ｓ１）の前方位置（Ｓ３）にも設置できる。
【０１０５】
即ち、打席と前方感知センサー１５１との位置が近づくほど（Ｓ３）バットがセンサーを通過する確率が増加し、打席と前方感知センサー１５１との位置が遠ざかるほど（Ｓ２）壁に当たって跳ねたファウルボールの打球軌道（Ｂ５）とヒットボールの打球軌道（Ｂ６）のセンサー値が同一に測定される場合が増加する。
【０１０６】
このような限界を克服するために、本発明の打撃感知部１５０は、平面位置センサー１５２の配置とカメラセンサー１５３の位置調節を通じてバット認識などにより発生する誤りデータを除去し、壁、底、天井などに当たって跳ねたファウルボールの打球軌道（Ｂ５）をヒットボールの打球軌道（Ｂ６）と区分するようになる。
【０１０７】
前方感知センサー１５１、平面位置センサー１５２、及びカメラセンサー１５３で感知したデータを全て組み合わせて全体的な打球軌道を読み取る。
【０１０８】
図８は図１に図示されたスクリーン野球競技装置内のスクリーン駆動部１７０の動作を説明するための構成図であって、スクリーン１２０、モニター１７１、プロジェクタ１７２、及び補助プロジェクタ１７３を備える。
【０１０９】
図９は、図１に図示されたスクリーン野球競技装置内のスクリーンにディスプレイされる映像に対する写真である。
【０１１０】
図１から図９を参照して本発明のスクリーン野球競技装置内のスクリーン駆動部の動作を説明すると、次の通りである。
【０１１１】
スクリーン駆動部の動作
図８Ａから見るように、スクリーン１２０はピッチングマシン１３８の前方に位置し、モニター１７１はゲーム運営部１１０の運営用モニターと共用に使われれば、位置が限定的でありうるので、別途のモニター１７１を打者控室に設置する。
【０１１２】
プロジェクタ１７２は、ピッチングマシン１３８と打席との距離によって打席の後方またはスクリーン１２０から前方に適当な距離（例えば、８ｍ）に位置する。
【０１１３】
スクリーン１２０とモニター１７１に同一内容をディスプレイすることもできるが、その機能を異にしてスクリーン１２０にはプロジェクタ１７２を通じて選手の動きを見せる野球競技の中継画面に準する映像をディスプレイし、モニター１７１には競技進行に必要な情報（例えば、打者情報、打撃情報など）を集中的にディスプレイして全体競技の没入度を高めることができる。
【０１１４】
図８Ｂから見るように、ピッチングマシン１３８と打席との間の距離が遠い場合、相対的にスクリーン１２０との距離も遠くなって打者が実際に見られる視野角が狭くなる問題点がある。
【０１１５】
これを克服するために、本発明は補助プロジェクタ１７３を追加設置してスクリーン１２０でない壁面にスクリーン１２０に見られない周辺映像をディスプレイすることで、打者の視野角を広げる。
【０１１６】
この際、壁面に周辺映像がディスプレイされることによって、透写距離に従う映像歪みが生じることがあるので、ゲーム運営部１１０は所定の映像歪み補正ソフトウェアを通じてこのような映像歪みを補正する。
【０１１７】
スクリーン１２０と打席との間の距離に関わらず、ピッチング時、同一な形状のピッチャーがピッチングモーションをすれば、打者は実際距離に従う現実感を感じ難いので、ゲーム運営部１１０はスクリーン１２０と打席との間の距離によってピッチングモーションが現実感あるように見えるようにピッチャーの形状を自由に調節する。
【０１１８】
図８Ｃから見るように、スクリーン１２０は一般的に白色の布を使用するが、スクリーン１２０の後面に明るい光がある場合、映像が鮮明でなくなる問題点がある。
【０１１９】
これを克服するために、本発明は暗幕１２１でスクリーン１２０の後面光を遮断し、より明るい画面を構成するためにスクリーン１２０の前表面に反射コーティング１２２を追加する。
【０１２０】
図１０は図１に図示されたスクリーン野球競技装置内の競技撮影部１６０の動作を説明するための構成図であって、 競技撮影部１６０、ゲーム運営部１１０、スクリーン１２０、スクリーン駆動部１７０、ゲームサーバー３００、及びデータベース４００を備える。
【０１２１】
図１から図１０を参照して本発明のスクリーン野球競技装置内の競技撮影部の動作を説明すると、次の通りである
【０１２２】
競技撮影部の動作
図１０Ａから見るように、競技撮影部１６０は打者の前方の左側または右側壁面の上部に設置されて打者の打撃映像を撮影する。
【０１２３】
図１０Ｂから見るように、競技撮影部１６０はストリーム送信部１６２を内蔵し、撮影された打撃映像をゲーム運営部１１０に転送する。
【０１２４】
ゲーム運営部１１０は、内蔵されているストリーム受信部１１１を通じてストリーム送信部１６２から撮影された打撃映像をスクリーン駆動部１７０に伝達してスクリーン１２０上に再現させる。
【０１２５】
また、撮影された打撃映像のうち、特定の映像資料（例えば、良好な安打映像など）を臨時保管してからデータベース４００に転送及び格納して、今後、ユーザ育成プログラム及びキャラクター育成プログラムに活用することもできる。
【０１２６】
例えば、ユーザのうち、競技力量をより向上させるために打撃姿勢の確認を希望するユーザがある場合、多様な方法により安打映像などの特定の映像資料をオンラインで参考することもでき、スクリーンにディスプレイして参考することもできる。
【０１２７】
また、打撃映像と競技情報に従う打球分布を用いると、自分の打撃姿勢の長短所を容易に確認することもできる。
【０１２８】
また、ユーザが自分の打撃姿勢矯正や補完に対する直接的な個人レッスンを希望する場合、売り場の斡旋で前職または現職選手からオフラインで直接レッスンを受けるように連結してくれることもできる。
【０１２９】
このように、本発明の時空間的な制約のないスクリーン野球競技装置は、一般人が容易く投球の球質や多様な競技環境を選択することができるので、ユーザの水準差の制約無しで野球競技を自由に楽しむことができる。
【０１３０】
また、打撃一辺倒のゲームから外れてストライクやボールの判定または攻守作戦のオプションや得点の計算方法を多様に調整することができ、仮想の野球場空間で投球または打球によってボールが所定の軌跡に沿って現実的に移動可能であるので、実在感と興味を向上させることができる。
【０１３１】
また、地理的に互いに離隔した地域間の選手情報及び競技シミュレーションなどをオンラインで互いにリアルタイム共有するようにして、利用者が互いに異なる地域にいても競技が可能であるので、時空間的な制約無しで野球競技を多様に楽しむことができ、競技中、打撃映像と競技情報のユーザ育成プログラムの活用を通じてユーザの打撃姿勢補完により競技力量を向上させることができるようになる。
【０１３２】
また、ゲームサーバーが複数個の売り場システムに設置されたスクリーン野球装置の周期的な状態点検データ及び競技実況シミュレーションデータの受信を受けて必要な命令またはデータを転送して運営者が意図する動作をリアルタイムに処理するようにすることで、遠隔地で複数個の売り場システムに設置されたスクリーン野球装置をモニタリングして、状態点検、機能調整、及びメインテナンスなどの管理が可能である
【０１３３】
以上、一部の実施形態を挙げて本発明の好ましい実施形態に対して説明したが、このような説明は例示的なものに過ぎないものであって、如何なる意味でもこれによって本発明が制限されることと解析されることはできず、本発明が属する技術分野で通常の知識を有する者であれば、以上の説明から本発明を多様に変形、修正、または置換して実施するか、または本発明と均等な実施を行なうことができるという点をよく理解することができる。
【符号の説明】
【０１３４】
１００−１〜１００−Ｎ    複数個のスクリーン野球装置
１１０    ゲーム運営部
１２０    スクリーン
１３０    ピッチングマシン部
１４０    ボール供給部
１５０    打撃感知部
１６０    競技撮影部
１７０    スクリーン駆動部
１８０    オンライン通信部
２００    装置制御部
３００    ゲームサーバー
４００    データベース
【図１】
2016214864.tif 000003
【図２Ａ】
2016214864.tif 000004
【図２Ｂ】
2016214864.tif 000005
【図５Ａ】
2016214864.tif 000006
【図５Ｂ】
2016214864.tif 000007
【図５Ｃ】
2016214864.tif 000008
【図５Ｄ】
2016214864.tif 000009
【図８Ａ】
2016214864.tif 000010
【図８Ｂ】
2016214864.tif 000011
【図８Ｃ】
2016214864.tif 000012
【図１０Ａ】
2016214864.tif 000013
【図１０Ｂ】
2016214864.tif 000014
【図３】
2016214864.tif 000015
【図４】
2016214864.tif 000016
【図６】
2016214864.tif 000017
【図７】
2016214864.tif 000018
【図９】
2016214864.tif 000019